(57)【要約】      （修正有）【課題】ホルダで発光モジュールをベース部に固定してなる照明装置において、ホルダで発光モジュールをベース部に固定する作業の手間を軽減する。【解決手段】ホルダ３０の周壁部３２には、前端部分３２ａに取付爪３５が前方に突出して設けられ、後端部分３２ｂにはネジ取付け部３６が後方に突出して設けられている。ベース２０は、放熱性の良好な金属製の板状部材であって、ベース２０における搭載領域２１の前方には、ホルダ３０の取付爪３５を係止する係止孔２２が設けられ、搭載領域２１の後方には挿通孔３６ａに対応する位置に、ねじ孔２３が設けられている。組立ねじ３９が、ネジ取付け部３６を通って、ベース２０のねじ孔２３に締め付けられている。【選択図】図２
2014120332.tif 000002
【特許請求の範囲】
【請求項１】
ベース部と、前記ベース部に搭載され、基板上に発光素子が実装されてなる発光部を有する発光モジュールと、前記発光モジュールを覆うホルダとを備え、
前記ホルダは、
前記発光部に対応する領域に開口部が開設されたカバー部、及び当該カバー部の周縁から外方向に延設された周壁部を有し、
前記周壁部の第１部分に取付爪が設けられ、
前記ベース部には前記取付爪を係止する係止部が設けられ、
前記取付爪が前記係止部に係止されると共に、前記周壁部における前記第１部分から離れた第２部分が締結手段で前記ベース部に締結されることによって、
前記カバー部が前記発光モジュールをベース部に押さえ付けた状態で前記周壁部が前記ベース部に固定されている、
照明装置。
【請求項２】
前記周壁部において、
前記第１部分と前記第２部分は、前記カバー部を挟んで対向する位置にある、
請求項１記載の照明装置。
【請求項３】
前記発光モジュールにおける前記基板上には給電端子が設けられ、
前記ホルダには、当該ホルダが前記発光モジュールに装着された状態において前記給電端子に接触する接続端子が装着されている、
請求項１または２記載の照明装置。
【請求項４】
前記接続端子は、
前記カバー部の前記発光モジュールに対する押圧力が低下したときに、前記給電端子と非接触となるように前記ホルダに装着されている、
請求項３記載の照明装置。
【請求項５】
前記ホルダにおいて、
前記周壁部は、前記カバー部のベース側の面よりもベース側に突出し、
当該突出量は前記基板の厚みよりも小さい、
請求項１〜４のいずれかに記載の照明装置。
【請求項６】
前記カバー部における前記発光モジュールと対向する面上に弾性体が設けられ、
前記カバー部は前記弾性体を介して発光モジュールをベース部に押さえ付けている、
請求項１〜４のいずれかに記載の照明装置。
【請求項７】
前記取付爪の先端部分は、前記ホルダの外方に向かって突出している、
請求項１〜６のいずれかに記載の照明装置。
【請求項８】
前記締結手段はねじである、
請求項１〜７のいずれかに記載の照明装置。
【請求項９】
ベース部と、当該ベース部に搭載され基板上に発光素子が実装されてなる発光部を有する発光モジュールとを備える照明装置に用いられ、前記発光モジュールを覆うホルダであって、
前記発光部に対応する領域に開口部が開設されたカバー部、及び当該カバー部の周縁から外方向に延設された周壁部を有し、前記周壁部の第１部分に取付爪が設けられ、
前記取付爪が前記ベース部の係止部に係止されると共に、前記周壁部における前記第１部分から離れた第２部分が締結手段で前記ベース部に締結されることによって、
前記カバー部が前記発光モジュールをベース部に押さえ付けた状態で前記周壁部が前記ベース部に固定される、
ホルダ。
【発明の詳細な説明】
【技術分野】
【０００１】
本発明は、ＬＥＤチップ等の半導体発光素子が基板上に実装されてなる発光モジュールと、発光モジュールを搭載するベース部と、発光モジュールを覆ってこれをベース部に固定するホルダとを備える照明装置に関する。
【背景技術】
【０００２】
ＬＥＤは、長寿命で、小型で発光効率が良く、鮮やかな発光色を有するといった利点を持ち、照明装置や表示装置のバックライト等に広く利用されている。また、ダウンライトなど大容量の照明装置に用いる発光モジュールとして、一つの基板上に、多数のＬＥＤチップを実装し、その上を封止材で覆って封止した発光部を有する発光モジュールも開発されている。また、この発光モジュールは一般に、基板上に、発光部に電力を供給するための給電端子及び配線が設けられていて、照明装置のベース部に固定されて使用される。
【０００３】
発光モジュールをベース部に固定する方法として、ホルダで固定する方法が知られている。すなわち、ベース部に搭載された発光モジュールをホルダで覆い、ホルダの周壁部をベース部にネジで固定することによって、発光モジュールをベース部に押さえ付けた状態で固定する方法である。
例えば特許文献１には、ＬＥＤ素子が実装されている平板型ＬＥＤモジュールに対して脱着可能であり、ヒートシンクにネジで固定されるＬＥＤ光源用ソケットが開示されている。このＬＥＤ光源用ソケットは、平板型ＬＥＤモジュールのＬＥＤ光源部を露出させる開口部を有し、この開口部の周縁で平板型ＬＥＤモジュールをヒートシンク側に押圧して固定するホルダとして機能する。ＬＥＤモジュールはベース部に押さえ付けられた状態で固定されるので、ＬＥＤモジュールからの放熱も良好になされる。
【０００４】
またこのＬＥＤ光源用ソケットのように、ホルダにおいては、外部から電力を供給するリード線と発光モジュールの給電端子とを接続する接続端子が内蔵されているものもある。このようなホルダを用いることにより、発光モジュールを照明器具に固定すると共に、電気的な接続も容易に行うことができる。
【先行技術文献】
【特許文献】
【０００５】
【特許文献１】特開２００４−２６５６２６号公報
【発明の概要】
【発明が解決しようとする課題】
【０００６】
上記の照明器具を組み立てるときに、ホルダを発光モジュールに装着してホルダの周壁部をベース部にネジで固定する工程を経る。
この工程においては、ホルダ及びベース部の各ねじ孔の位置を合わせて、２箇所以上でネジ止めする。この場合、ねじ止めの回数が複数回必要となり、また最初にねじ止めをする際に、ホルダのねじ孔とベース部のねじ孔を合わせてねじで止めるのに手間がかかる。
【０００７】
本発明は、上記課題を鑑み、発光モジュールをホルダでベース部に固定してなる照明装置において、ホルダで発光モジュールをベース部に固定する作業の手間を軽減することを目的とする。
【課題を解決するための手段】
【０００８】
上記目的を達成するため、本発明の一態様にかかる照明装置は、ベース部と、ベース部に搭載され、基板上に発光素子が実装されてなる発光部を有する発光モジュールと、発光モジュールを覆うホルダとを備え、ホルダは、発光部に対応する領域に開口部が開設されたカバー部、及び当該カバー部の周縁から外方向に延設された周壁部を有し、周壁部の第１部分に取付爪が設けられ、ベース部には当該取付爪を係止する係止部が設けられ、取付爪が係止部に係止されると共に、周壁部における第１部分から離れた第２部分が締結手段でベース部に締結されることによって、カバー部が発光モジュールをベース部に押さえ付けた状態で周壁部がベース部に固定されている。
【発明の効果】
【０００９】
上記態様に係る照明装置を組立てるときには、ベース上に発光モジュールを載置して、まず、ホルダの取付爪をベース部の係止部に係止する。この係止によって、ホルダの第１部分がベース部に仮止めされる。次に、係止した箇所を支点にしてホルダを回転させて、ホルダを発光モジュールに被せる。
その後、ホルダの周壁部における第１領域から離れた第２領域を締結手段によってベース部に締結する。
【００１０】
この締結に伴って、ホルダの取付爪とベース部の係止部との間も締め付けて、ホルダの第１部分と第２部分をベース部に固定することができる。また、それに伴って、発光モジュールは、ホルダのカバー部によってベース部に押さえ付けた状態で固定される。従って、発光モジュールからベース部へ良好に放熱される。
従って、従来はホルダをベース部に固定するときに２箇所以上でねじ止めしていたのと比べて、ねじ止めする箇所を少なくでき、組立工程においてねじ締めの工数を削減できる。
【００１１】
また、取付爪をベース部の係止部に係止することによって、ホルダの第１領域をベース部に容易に仮止めできる。
よって、ホルダをベース部に取り付ける工程の作業性も向上し、それによって照明装置の製造コストも低減できる。
【図面の簡単な説明】
【００１２】
【図１】実施の形態１にかかる照明装置６の外観を示す斜視図である。
【図２】図２（ａ）は、照明装置６の主要部を分解した斜視図、（ｂ）はホルダを背面側から見た斜視図である。
【図３】（ａ）は、照明装置６を縦に２分した斜視図、（ｂ）は断面図である。
【図４】ホルダ３０および発光モジュールの寸法などについて説明する図である。
【図５】ホルダ３０で発光モジュール１０をベース２０上に固定する工程を説明する図である。
【図６】照明装置６を備えるダウンライト１が、天井２に取り付けられた状態を示す断面図である。
【図７】実施の形態２にかかる照明装置７の構成を示す図である。
【図８】実施の形態３にかかる照明装置８の構成を示す図である。
【図９】実施の形態４にかかる照明装置８の構成を示す要部分解図である。
【図１０】実施の形態４にかかるホルダ１３０で発光モジュール１０をベース２０上に固定する工程を説明する図である。
【図１１】実施の形態５にかかる照明装置の構成及び状態を示す図である。
【図１２】実施の形態５にかかる照明装置の構成及び状態を示す図である。
【図１３】変形例にかかる照明装置の構成を示す図である。
【発明を実施するための形態】
【００１３】
＜本発明に到る経緯＞
ベース部に搭載された発光モジュールをホルダによって押さえ付けて固定している照明装置において、ホルダの第１領域に取付爪を設け、ベース部に当該取付爪を係止する係止部を設けることによって、ホルダをねじで止める箇所を減らしてねじ止め作業の回数を減らすことができることを見出した。
【００１４】
また、それだけでなく、取付爪を係止部に係止した状態のままホルダを回転させ、発光モジュールを覆ってベース部に押さえ付けることができること、さらに、ホルダの第２部分をねじなどでベース部に締め付けると、それに伴って発光モジュールを支点としてホルダの第１部分に設けられている取付爪に作用して、取付爪と係止部とを締め付けることができることも見出した。
【００１５】
このような知見に基づき、本発明の照明装置の構成に到った。
＜発明の態様＞
本発明の一態様にかかる照明装置は、ベース部と、ベース部に搭載され、基板上に発光素子が実装されてなる発光部を有する発光モジュールと、発光モジュールを覆うホルダとを備え、ホルダは、発光部に対応する領域に開口部が開設されたカバー部、及び当該カバー部の周縁から外方向に延設された周壁部を有し、周壁部の第１部分に取付爪が設けられ、ベース部には当該取付爪を係止する係止部が設けられ、取付爪が係止部に係止されると共に、周壁部における第１部分から離れた第２部分が締結手段でベース部に締結されることによって、カバー部が発光モジュールをベース部に押さえ付けた状態で周壁部がベース部に固定されている構成とした。
【００１６】
上記締結手段としては、ねじをはじめとしてフックなどを用いてもよい。
また、本発明の一態様にかかるホルダは、ベース部と、当該ベース部に搭載され基板上に発光素子が実装されてなる発光部を有する発光モジュールとを備える照明装置に用いられ、発光モジュールを覆うホルダであって、記発光部に対応する領域に開口部が開設されたカバー部、及び当該カバー部の周縁から外方向に延設された周壁部を有し、周壁部の第１部分に取付爪が設けられ、取付爪がベース部の係止部に係止されると共に、周壁部における第１部分から離れた第２部分が締結手段でベース部に締結されることによって、カバー部が前記発光モジュールをベース部に押さえ付けた状態で周壁部がベース部に固定される構成とした。
【００１７】
このような照明装置及びホルダにおいて、照明装置を組立てるときに、ベース上に発光モジュールを載置して、まず、ホルダの取付爪をベース部の係止部に係止する。この係止によって、ホルダの第１部分がベース部に仮止めされる。次に、係止した箇所を支点にしてホルダを回転させて、ホルダを発光モジュールに被せる。
その後、ホルダの周壁部における第１領域から離れた第２領域を締結手段によってベース部に締結する。この締結に伴って、ホルダの取付爪とベース部の係止部との間も締め付けて、ホルダの第１部分と第２部分をベース部に固定することができる。また、それに伴って、発光モジュールは、ホルダのカバー部によってベース部に押さえ付けられけた状態で固定される。従って、発光モジュールからベース部へ良好に放熱される。
【００１８】
従って、作業者がホルダを締結する作業は１回でも、発光モジュールをベース部に押さえ付けた状態でホルダをベース部に固定することができる。
周壁部において、第１部分と第２部分は、カバー部を挟んで対向する位置にあることが好ましい。
発光モジュールにおける基板上に給電端子を設け、ホルダには、ホルダが発光モジュールに装着された状態において給電端子に接触する接続端子を装着してもよい。この場合、ホルダに装着した接続端子に外部から給電すれば、接続端子を介して発光モジュールの給電端子に給電がなされる。
【００１９】
接続端子をホルダに装着する形態は、カバー部の発光モジュールに対する押圧力が低下したときに、給電端子と非接触となるように装着してもよい。
この場合、ホルダが発光モジュールを押圧する押圧力が低下すると、発光モジュールへの給電が遮断される。すなわち、発光モジュールの押圧力が弱まって発光モジュールからベース部への放熱性が低下しやすい状態では、発光モジュールへの通電がなされないので、安全性が向上する。
【００２０】
ホルダにおいて、周壁部は、カバー部のベース側の面よりもベース側に突出させてもよい。この場合、突出量を基板の厚みよりも小さく設定することによって、締結手段で周壁部の第２部分をベース部に締結したときに、カバー部によって発光モジュールがベース部にしっかりと押さえ付けられる。
カバー部における発光モジュールと対向する面上に弾性体を設け、カバー部は弾性体を介して発光モジュールをベース部に押さえ付けることにも、ホルダによって発光モジュールをベース部にしっかりと押さえ付ける上で好ましい。
【００２１】
取付爪の先端部分は、ホルダの外方に向かって突出させることが、取付爪を係止部に容易に係止させる上で好ましく、また、締結手段の締め付けに伴って、取付爪とベース部の係止部との間がしっかりと締め付けられるようにする上で好ましい。
締結手段としては、ねじを用いることが好ましい。
以下、本発明の実施の形態に係る照明用光源及び照明装置について、図面を参照しながら説明する。なお、以下に説明する実施の形態は、いずれも本発明の好ましい一具体例を示すものである。従って、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００２２】
なお、各図は、模式図であり、必ずしも厳密に図示されたものではない。また、各図において、同じ構成部材については同じ符号を付している。
[実施の形態１]
（照明装置の全体構成）
図１は、実施の形態１にかかる照明装置６外観を示す斜視図である。図２（ａ）は、照明装置６の主要部を分解した斜視図、（ｂ）はホルダを背面側から見た斜視図である。
【００２３】
図中、矢印Ｙが示す方向を後方とし、矢印Ｘが示す方向を右方、矢印Ｚが示す方向を上方とする。
照明装置６は、発光モジュール１０、この発光モジュール１０を搭載するベース２０、発光モジュール１０を覆ってこれをベース２０上に押圧しなから固定するホルダ３０を備えている。そしてホルダ３０には給電用の配線部材４０が接続されている。
【００２４】
なお、図示はしないが、ホルダ３０の上方を覆うように、光透過性のカバーあるいはレンズなどの光学部品が装着されていてもよい。
（発光モジュール１０）
発光モジュール１０は、基板１１、基板１１の上面に形成された発光部１２、基板１１の上面に設けられた端子部１３ａ，１３ｂなどを備える。
【００２５】
基板１１は長方形状であって、セラミックスあるいは熱伝導樹脂などの絶縁性材料からなる絶縁層を有している。基板１１は、全体が絶縁層であってもよいし、絶縁層と、アルミ板からなる金属層の２層構造を有していてもよい。
基板１１の寸法は、例えば、縦４５ｍｍ、横３０ｍｍ、厚さ１ｍｍであり、発光部１２の寸法は例えば縦２０ｍｍ、横２０ｍｍである。
【００２６】
発光部１２も長方形状あって基板１１上に形成されている。この発光部１２は例えば、図２（ａ）の部分拡大図に示すように、横方向に並ぶ複数の発光素子１４が封止部材１５で覆われて発光素子列１６が形成され、その発光素子列１６が複数列前後方向に並んで形成されている。横方向に並ぶ発光素子１４同士の接続は、基板１１上のランド１７とワイヤボンディングによってなされている。
【００２７】
発光素子１４としてはＬＥＤを用いるが、ＬＤ（レーザダイオード）であっても良く、ＥＬ素子（エレクトリックルミネッセンス素子）であっても良い。発光素子１４から出射される約４３０ｎｍ〜４８０ｎｍに主波長を有する青色光の一部は、封止部材１５中の波長変換材料によって、例えば約５３０ｎｍ〜６５０ｎｍに主波長を有する光に変換される。その結果、波長帯変換後の光と未変換の青色光との混色によって、白色光が出射される。
【００２８】
端子部１３ａ，１３ｂは、基板１１の絶縁層上に形成された導体パターンである。図示は省略するが、基板１１上には端子部１３ａ，１３ｂと発光部１２とを接続する給電用の配線が設けられている。
（ホルダ３０）
図２（ａ）に示すように、ホルダ３０は、全体が長方形板状であって、中央部に発光モジュール１０の発光部１２から出射される光を上方に通過させる開口部３３が形成されている。
【００２９】
ホルダ３０は、発光モジュール１０の上を覆うカバー部３１と、このカバー部３１の周縁から外方向に延設されて、カバー部３１の外周を囲む周壁部３２とを有している。カバー部３１は、発光モジュール１０とサイズが略同等の長方形状である。
なお、図２（ａ）のようにホルダ３０を上方から見るとカバー部３１と周壁部３２との境界は見えないが、図２（ｂ）に示すように、ホルダ３０の下面側中央部には、長方形状の凹部３１０が存在して、この凹部３１０の領域がカバー部３１の領域に相当する。そして、凹部３１０の外側を囲む外周部が周壁部３２に相当する。
【００３０】
すなわち、周壁部３２の下部は、カバー部３１の下面よりも下方（ベース２０側）に突出している。そして、このカバー部３１の下にある凹部３１０に発光モジュール１０が填まり込んで装着されるようになっている。
図３（ａ），（ｂ）に示すようにホルダ３０が発光モジュール１０に装着された状態では、周壁部３２の下端部は、発光モジュール１０の基板１１を取り囲んでいる。
【００３１】
ホルダ３０は、例えば、ポリブチレンテレフタレート（ＰＢＴ）などの樹脂に白色顔料を混ぜた材料を射出成型して形成されている。ホルダ３０の寸法は、例えば、縦６０ｍｍ、横４０ｍｍ、厚さ５ｍｍである。
開口部３３における下側の内周面３３１は、発光部１２のサイズより若干大きいサイズを有し、発光モジュール１０にホルダ３０が装着された状態において、発光部１２の周囲を取り囲む。また、開口部３３における上側の内周面３３２は、上方で拡がるにテーパ状に形成され、発光部１２からの光を上方に効率よく反射する。
【００３２】
図２に示すように、ホルダ３０の周壁部３２には、前端部分３２ａに取付爪３５が前方に突出して設けられ、後端部分３２ｂにはネジ取付け部３６が後方に突出して設けられている。
取付爪３５はホルダ３０の前側面３０１から前方に突出し、下方にクランク状に曲折された形状である。すなわち取付爪３５は、ホルダ３０の前側面３０１から前方に突出する基端部３５１、基端部３５１の前端から曲折して下方に伸びる下方伸長部３５２、下方伸長部３５２の下端から曲折して前方に伸びる先端部３５３とから構成されている。
【００３３】
取付爪３５はホルダ３０の本体と一体で成型することが好ましいが、ホルダ３０の本体とは別に金属などで作製してホルダ３０の本体に取り付けてもよい。
一方、ネジ取付け部３６は、ホルダ３０の後側面３０２から後方に突出し、組立ねじ３９が挿通する挿通孔３６ａが開設されている。
（ベース２０）
ベース２０は、放熱性の良好な金属製の板状部材であって、図２に示すようにその上面中央に発光モジュール１０を搭載する搭載領域２１を有している。またベース２０における搭載領域２１の前方には、ホルダ３０の取付爪３５を係止する係止孔２２が設けられ、搭載領域２１の後方には挿通孔３６ａに対応する位置に、組立ねじ３９を螺号させるねじ孔２３が設けられている。
【００３４】
係止孔２２は、取付爪３５の先端部３５３及び下方伸長部３５２よりも大き目のサイズであって、取付爪３５をこれに差し込んだ状態で、取付爪３５はＹ−Ｚ面内である程度の範囲を回動できるようになっている（図５（ａ）参照）。
（ホルダ３０における各部の寸法規定）
発光モジュール１０をベース２０に固定する工程のところでも説明するが、上記ホルダ３０によって、発光モジュール１０をベース２０に押圧して固定することができる。
ここで、発光モジュール１０をしっかりと押圧できるように、ホルダ３０における各部分の寸法は以下のように規定されている。
【００３５】
図４（ａ）は、ホルダ３０における各部分の寸法、発光モジュール１０の基板１１及びベース２０の厚みとの関係を示す図である。
発光モジュール１０の基板１１の厚みＡよりも、ホルダ３０におけるカバー部３１の下面側にある凹部３１０の深さ（カバー部３１の下面３１１と周壁部３２の下面３２１との上下方向距離）Ｂの方が小さく設定されている（厚みＡ＞凹部３１０の深さＢ）。
【００３６】
このように寸法規定することによって、ホルダ３０で発光モジュールをベース２０にしっかりと押さえ付けることができる。
またホルダ３０の前端部におけるベース２０に対する固定をしっかりするために、取付爪３５の先端部３５３の上面とカバー部３１の下面３１１との上下距離Ｄは、基板１１の厚みＡとベース２０の厚みＣとの和と同等、もしくはこれより若干小さく設定すること、すなわち、厚み（Ａ＋Ｃ）≧距離Ｄに設定することが好ましい。
【００３７】
（発光モジュール１０への給電経路）
配線部材４０は一組のリード線４１ａ，４１ｂを有している。リード線４１ａ，４１ｂは、ホルダ３０内に収納された接続端子５１，５２を介して、発光モジュール１０の端子部１３ａ，１３ｂと電気的に接続されている。
リード線４１ａ，４１ｂは、ベース２０の下方において照明装置６の外部へ導出され、その端部にコネクタ７２が取り付けられている。
【００３８】
ホルダ３０右側部と左側部の下面側には、図２（ｂ）に示すように、凹部３７，３８が設けられ、そこに接続端子５１，５２が填め込まれている。この一対の接続端子５１，５２は、リード線４１ａ，４１ｂを発光モジュール１０の端子部１３ａ，１３ｂに接続するものである。
接続端子５１，５２は、図２に示すように、導電板が曲折されて箱型に形成された部材である。接続端子５１は、その下端側に、端子部１３ａと接触する接触部５１１を有し、その右側にリード線４１ａが差し込まれるリード差込部５１２を有している。接続端子５２も、下端側に端子部１３ｂと接触する接触部５２１を有し、左側にリード線４１ｂが差し込まれるリード差込部５２２を有している。
【００３９】
接触部５１１，接触部５２１は、舌片状に形成されて弾力性を有している。ホルダ３０のカバー部３１が発光モジュール１０を押圧している状態のときには、接触部５１１と端子部１３ａが接触し、接触部５２１と端子部１３ｂも接触する。
また、ホルダ３０の右側面３０３から凹部３７に連通する貫通孔３４が穿設され、ホルダ３０の左側面３０４からも同様に凹部３８に連通する貫通孔３４が穿設されている。リード線４１ａ，４１ｂは、この貫通孔を通って、凹部３７，３８に填め込まれている接続端子５１，５２のリード差込部５１２，５２２に差し込まれて接続されている。
【００４０】
このように接続端子５１，５２を介して、リード線４１ａ，４１ｂは端子部１３ａ，１３ｂに接続されるので、外部からコネクタ７２に供給される電力は、ホルダ３０を介して発光モジュール１０に供給される。
（ホルダ３０で発光モジュール１０をベース２０に固定する工程）
図５（ａ）〜（ｃ）を参照しながら、ホルダ３０で発光モジュール１０をベース２０上に固定する工程について説明する。
【００４１】
作業者は、図５（ａ）に示すように、ベース２０の搭載領域２１上に発光モジュール１０を搭載し、ホルダ３０の取付爪３５の先端部３５３を、ベース２０の係止孔２２に挿入して仮止めする。このとき、ベース２０に対してホルダ３０を傾斜させて、取付爪３５の先端部３５３を係止孔２２の斜め上方から挿入することによって容易に係止孔２２に挿入することができる。
【００４２】
取付爪３５を係止孔２２に係止した状態で、作業者は、図５（ａ）に矢印で示すように、係止した箇所を支点にしてホルダ３０を回転させて、ベース２０に近づけ、ホルダ３０を発光モジュール１０の上に覆い被せる。
このとき、ホルダ３０の取付爪３５がすでに係止孔２２に仮止めされているので、カバー部３１と発光モジュール１０との位置を合わせるのが容易である。
【００４３】
次に作業者、図５（ｂ），（ｃ）に示すように、組立ねじ３９を、ホルダ３０のネジ取付け部３６に挿入し、ベース２０のねじ孔２３に螺号して締めつける。
ここで、上記のように（基板１１の厚みＡ＞凹部３１０深さＢ）に設定されているので、ホルダ３０の中央部にあるカバー部３１の下面側は、発光モジュール１０の基板１１で下から支持された状態となっている。
【００４４】
従って、ホルダ３０のネジ取付け部３６をベース２０にねじ締めするのに伴って、ホルダ３０の前端側にある取付爪３５は上方に押し上げられ、取付爪３５の先端部３５３は、係止孔２２の近傍でベース２０の下面に押し付けられる。
よって、ホルダ３０のネジ取付け部３６をベース２０に締結するのに伴って、取付爪３５もベース２０の係止孔２２のところで締め付けられた状態となる。
【００４５】
ここで、上記のように厚み（Ａ＋Ｃ）≧距離Ｄに設定されていることが、組立ねじ３９によるねじ締めに伴って、取付爪３５のベース２０に対する締め付けが良好になされる上で好ましい。
図４（ｂ）には、このような締結に伴ってホルダ３０の各部分に加わる力ｆ１〜ｆ３を示している。
【００４６】
ホルダ３０の後端部分３２ｂには組立ねじ３９によって下向きの力ｆ１が加わり、ホルダ３０の中央部のカバー部３１は発光モジュール１０から上向きの力ｆ２が加わり、ホルダ３０の前端部分３２ａにはベース２０から下向きの力ｆ３が加わる。
このようにして、ホルダ３０は、発光モジュール１０をベース２０に押圧した状態で、前端部分３２ａと後端部分３２ｂがベース２０に締め付けられて固定されている。
【００４７】
（照明装置６による効果）
以上説明したように、照明装置６によれば、ホルダ３０をベース２０に取り付け固定する工程において、ねじ止めする箇所は１箇所であっても、ホルダ３０の周壁部３２における前端部分３２ａ及び後端部分３２ｂをベース２０に固定できる。またそれに伴って、発光モジュール１０は、ホルダ３０のカバー部３１によってベース２０に押さえ付けられた状態で固定されるので、発光モジュール１０からベース２０への放熱性も良好に確保できる。
【００４８】
特に、ホルダ３０において、取付爪３５が設けられた前端部分３２ａとネジ取付け部３６が設けられた後端部分３２ｂは、カバー部３１を挟んで前後に対向する位置にあるので、発光モジュール１０をベース２０に安定して押さえ付けることができる。
従来のようにホルダをベース部に固定するときに２箇所以上でねじ止めするのと比べると、ねじ止めする箇所が少なくなるので、ねじ止めの工数も削減でき、使用する部品（ねじ）の数も削減できる。
【００４９】
また、従来のようにホルダをベースにねじ止めする場合、最初にねじを止める際に、ホルダのねじ孔とベースのねじ孔の位置合わせをしてねじ止めするのに手間がかかる。これに対して照明装置６によれば、取付爪３５をベース２０の係止孔２２に係止することによって容易に仮止めできる。この点でも、ホルダ３０をベース２０に取り付ける作業性が向上し、照明装置の製造コストも低減される。
【００５０】
（照明装置６を用いたダウンライト１）
照明装置６を用いたダウンライトの例について説明する。
図６は、照明装置６を備えるダウンライト１が、天井２に取り付けられた状態を示す断面図である。
ダウンライト１は、照明装置６の他に、金属プレート２、及びこの金属プレート２の下側に取り付けられた器具筐体３，電源ユニット４，接続部材５を備えている。
【００５１】
器具筐体３は下方で径が拡がる円筒状である。電源ユニット４には、照明装置６を点灯させる回路が組み込まれている。接続部材５は、器具筐体３の金属プレート５から下方に垂れ下がり、接続部材５の下端に照明装置６が取り付けられてる。
電源ユニット４は、照明装置６と電気的に接続される電源線４ａを有し、電源線４ａの先端には照明装置６のコネクタ４２と着脱自在に接続されるコネクタ４ｂが取り付けられている。
【００５２】
このダウンライト１は、天井に貫設された埋込穴に埋め込まれて使用される。
[実施の形態２] 
図７（ａ）〜（ｄ）は実施の形態２にかかる照明装置７の構成を示す図である。図中、実施の形態１と同様の構成要素には同一符号を付している。
図７（ａ）は照明装置７の主要部斜視図、（ｂ）はベース２０及びホルダ３０の前部分を示す斜視図である。
【００５３】
照明装置７は、実施の形態１の照明装置６と同様の構成であるが、ベース２０における搭載領域２１の前方に、係止孔２２の代わりに、上方に突出するフード状（頭巾状）の係止部１２２が形成されている。
また、ホルダ３０の前端部分３２ａには、クランク状の取付爪３５の代わりに、前側面３０１から前方にまっすぐに伸長する取付爪１３５が形成されている。
【００５４】
図７（ｃ）は係止部１２２を斜め後方から見た図、（ｄ）はベース２０及びホルダ３０の断面図である。
係止部１２２には、内部空間１２３が形成され、後方が開口している。また、内部空間１２３はベース２０を貫通し、ベース２０の下面側にも連通している。
この照明装置７においても、ホルダ３０をベース２０に取り付け固定する工程は、実施の形態１と同様であって、まず、ホルダ３０の取付爪１３５を係止部１２２の開口から内部空間１２３に挿入して、取付爪１３５を係止部１２２に借り止めする。
【００５５】
ここで、内部空間１２３がベース２０を貫通しているので、取付爪１３５を係止部１２２の斜め上方から内部空間１２３に挿入することができる。
そして、取付爪１３５を係止部１２２に係止した状態で、作業者は、ホルダ３０を回転させてベース２０に近づけて、ホルダ３０を発光モジュール１０の上に覆い被せる。そいして、組立ねじ３９でホルダ３０のネジ取付け部３６をベース２０に締結する。
【００５６】
この照明装置７においても、実施の形態１で説明したとおり、（基板１１の厚みＡ＞ホルダ３０の凹部３１０の深さＢ）に設定しているので、ホルダ３０のネジ取付け部３６をベース２０に締結するのに伴って、ホルダ３０の取付爪１３５は、係止部１２２の上部の内面１２２ａに押し付けられる。従って、ホルダ３０のネジ取付け部３６をベース２０に締結するのに伴って、取付爪１３５もベース２０の係止部１２２に締結される。
【００５７】
なお、照明装置７においては、ホルダ３０の前端部におけるベース２０に対する固定をしっかりするために、ベース２０の上面から係止部１２２の上部の内面１２２ａまでの高さＥを、取付爪１３５の上面とカバー部３１の下面３１１との上下距離Ｆと基板１１の厚みＡとの和と同等、もしくはこれより若干小さく設定すること（（Ｆ＋Ａ）≧Ｅ）が好ましい。
【００５８】
照明装置７においても、実施の形態１の照明装置６と同様の効果、（すなわち、放熱性が良好で、ねじ止めする工数を削減でき、取付爪１３５をベース２０の係止部１２２に容易に仮止めできる。）といった効果が得られ、ホルダ３０をベース２０に取り付ける作業性が向上し、照明装置の製造コストも低減される。
また、本実施形態の照明装置７においては、係止部１２２をベース２０の上面から突出して設けているので、ベース２０は板状でなくても実施可能である。
【００５９】
[実施の形態３]
図８（ａ）〜（ｃ）は実施の形態３にかかる照明装置８の構成を示す図である。図中、実施の形態１と同様の構成要素には同一符号を付している。
図８（ａ）は照明装置８の主要部斜視図、（ｂ）はその側面図、（ｃ）はホルダ３０及びベース２０の後部分を示す斜視図である。
【００６０】
照明装置８は、実施の形態１の照明装置６と同様の構成であるが、ホルダ３０の後端部分３２ｂをベース２０に締結する締結手段としてねじの代わりにフックを用いる。
従って、ホルダ３０の後端部分３２ｂには、ネジ取付け部３６の代わりに、後側面３０２から下方に伸長するフック４３，４４が左右に離間して設けられている。各フック４３，４４の先端部４３１，４４１は後方に曲折されて鉤形状となっている。一方、ベース２０においては、ねじ孔２３の代わりに、フック４３，４４の先端部４３１，４４１を挿通させて係止する係止孔２４，２５が開設されている。
【００６１】
フック４３，４４の長さについては、フック４３，４４を係止孔２４，２５に係止したときにホルダ３０の後端部分３２ｂをベースに２０締結できるように設定する。具体的には、周壁部３２の下面からフック４３，４４の先端部４３１，４４１の上面までの距離がベース２０の厚みと同程度にすることが好ましい（図８（ｂ）参照）。
この照明装置８においても、ホルダ３０をベース２０に取り付け固定する工程は、実施の形態１と同様であって、まず、ホルダ３０の取付爪３５を係止孔２２に借り止めし、取付爪３５を係止孔２２に係止した状態で、作業者は、ホルダ３０を回転させてベース２０に近づけ、ホルダ３０を発光モジュール１０の上に覆い被せる。
【００６２】
そして、図８（ｃ）に示すようにフック４３，４４の先端部４３１，４４１を係止孔２４，２５に填め込み、ホルダ３０を下方に押圧してカバー部３１で発光モジュール１０を押し付け、その状態でフック４３，４４の先端部４３１，４４１を係止孔２４，２５に係止させる。このようにしてフック４３，４４の係止によって、ホルダ３０の後端部分３２ｂをベース２０に容易に締め付けることができる。
【００６３】
また、照明装置８においても、実施の形態１で説明したとおり（基板１１の厚みＡ＞ホルダ３０の凹部３１０深さＢ）に設定しているので、フック４３，４４による締結に伴って、ホルダ３０の取付爪３５は、ベース２０の係止孔２２のところに締結される。
このように本実施形態の照明装置８においては、実施の形態１と同様に取付爪３５をベース２０の係止孔２２に容易に仮止めできる効果に加えて、ホルダ３０の後端部分３２ｂをねじで締桔する必要がなく、フック４３，４４の係止によって、ホルダ３０の後端部分３２ｂをベース２０に容易に締め付けることができる。
【００６４】
従って、ホルダ３０をベース２０に取り付ける作業性がさらに向上し、照明装置の製造コストも低減できる。
なお照明装置８においては、ホルダ３０の後端部３２ｂにおいてフック４３，４４を左右に分けて設けることによってホルダ３０をベース２０に安定して締結できるが、フックをホルダ３０の後端部３２ｂの中央に１つ設けても実施可能である。
【００６５】
[実施の形態４] 
図９（ａ）は実施の形態４にかかる照明装置６０の構成を示す要部分解図である。
照明装置６０は、実施の形態１の照明装置６と同様の構成であるが、ホルダ３０の代わりにホルダ１３０が用いられている。
図９（ｂ）はホルダ１３０を下方から見た要部分解図である。
【００６６】
ホルダ１３０は、ホルダ３０と全体的には同様の構成であって、中央部に発光モジュール１０を覆うカバー部３１、その周囲に周壁部３２を有しているが、カバー部３１の下面側に、弾性体である４個のコイルバネ６１を介して押さえ板６２が装着されている。
なお、ホルダ１３０においては、このコイルバネ６１や押さえ板６２などを装着できるように、カバー部３１の下面側の凹みの深さがホルダ３０と比べて深く設定されている。
【００６７】
ホルダ１３０がベース２０上の発光モジュール１０に装着された状態においては、ホルダ１３０のカバー部３１は、コイルバネ６１を介して発光モジュール１０を押圧した状態となっている（図１０（ｂ）参照）。
押さえ板６２は、四角形の枠体形状であって、発光モジュール１０における発光部１２の外方で基板１１を押さえ付けることができるようになっている。なお、押さえ板６２には、端子部１３ａ，１３ｂに対応する位置に切り欠き６５が形成され、接続端子５１，５２の接触部５１１，５２１が押さえ板６２と干渉することなく端子部１３ａ，１３ｂと接触できるようになっている。
【００６８】
４個のコイルバネ６１は、カバー部３１と押さえ板６２との間において４隅に配置されている。この４隅において、カバー部３１の下面には上リブ６３が、押さえ板６２の上面には下リブ６４が設けられている。そして、各コイルバネ６１は、その上端部及び下端部が上リブ６３及び下リブ６４に填め込まれて、各位置に保持されている。
このようにして、押さえ板６２は４個のコイルバネ６１を介してカバー部３１の下面側の凹みに装着されている。
【００６９】
（ホルダ１３０で発光モジュール１０をベース２０に固定する工程）
図１０（ａ）〜（ｆ）を参照しながら、ホルダ１３０で発光モジュール１０をベース２０上に固定する工程について説明する。図１０において、（ａ）〜（ｃ）は縦方向に切断した断面図であって、ベース２０に対するホルダ１３０の状態を示している。（ｄ）〜（ｆ）は、ホルダ１３０における貫通孔３４の箇所を横方向に切断した断面図であって、上記（ａ）〜（ｃ）の各状態に対応するコイルバネ６１，押さえ板６２の状態を示している。
【００７０】
作業者は、図１０（ａ）に示すように、ベース２０の搭載領域２１上に発光モジュール１０を搭載し、ホルダ１３０の取付爪３５をベース２０の係止孔２２に係止して仮止めする。この状態では、図１０（ｄ）に示すように、押さえ板６２には押圧力はかからない。従って、コイルバネ６１は伸びた状態であり、押さえ板６２もホルダ１３０の下面の少し下方に位置している。
【００７１】
取付爪３５を係止孔２２に係止させた状態で、作業者は、係止した箇所を支点にしてホルダ３０を回転させて、図１０（ｂ）に示すようにベース２０に近づけ、ホルダ３０を発光モジュール１０の上に覆い被せる。このときホルダ１３０の取付爪３５がすでに係止孔２２に仮止めされているので、カバー部３１と発光モジュール１０との位置合わせは容易である。
【００７２】
この状態では、図１０（ｅ）に示すように、押さえ板６２は基板１１に当接して、押さえ板６２が基板１１を多少押圧し、押さえ板６２もホルダ１３０の下面側の凹部３１０内に若干押し込まれるが、接続端子５１の接触部５１１は、基板１１上の端子部１３ａと接触していない。
作業者は、図１０（ｃ）に示すように、組立ねじ３９で、ホルダ３０のネジ取付け部３６をベース２０に締めつける。
【００７３】
この状態では、押さえ板６２は基板１１を強く押圧し、コイルバネ６１にかかる圧縮力も大きい。そして、図１０（ｆ）に示すように、押さえ板６２はホルダ１３０の下面側の凹部３１０内に押し込まれて、接続端子５１の接触部５１１は、基板１１上の端子部１３ａと接触する。
このように、照明装置６０は、ホルダ１３０が発光モジュール１０を押圧する押圧力が十分にかかっているときには、接続端子５１，５２と端子部１３ａ，１３ｂが接触し、少し離れて押圧力が低下すると非接触となる。
【００７４】
（照明装置６０による効果）
本実施形態の照明装置６０は、実施の形態１の照明装置６と同様に、放熱性が良好で、ねじ止めする工数を削減でき、取付爪３５をベース２０の係止部１２２に容易に仮止めできる効果が得られる。
さらに照明装置６０は、装置の使用中に組立ねじ３９が多少緩んだ場合にも、コイルバネ６１の付勢力によって、押さえ板６２が発光モジュール１０をベース２０に押圧し続けるので、発光モジュール１０からの放熱性を維持することができる。
【００７５】
特に、コイルバネ６１は伸縮のストローク長く、耐久性も良好なので、長期にわたって発光モジュール１０を安定して押圧できる。
また、装置の使用中に組立ねじ３９がかなり緩んだ場合には、コイルバネ６１の付勢力によってホルダ１３０がベース２０から離間して、図１０（ｂ），（ｅ）と同様の状態になるので、接続端子５１，５２と端子部１３ａ，１３ｂが非接触となり、発光モジュール１０への給電はストップする。
【００７６】
すなわち照明装置６０においては、発光モジュール１０をベース２０に押圧する力が弱まって放熱性が十分確保しにくい状態になったときに、発光モジュール１０への給電をストップする安全装置としての機能を備えている。
[実施の形態５] 
実施の形態５にかかる照明装置は、上記実施の形態４の照明装置６０と同様であるが、ホルダ１３０に用いる弾性体が異なっている。
【００７７】
すなわち、ホルダ１３０において、カバー部３１の下面側の凹みに、弾性体を介して押さえ板６２が装着されている点は、実施の形態４と同じであるが、本実施の形態では、弾性体としてゴムチューブ（図１１）あるいは板ばね（図１２）を用いている。
図１１（ａ）は、弾性体としてゴムチューブを用いている例であって、ホルダ１３０を下方からみた分解斜視図である。
【００７８】
図１１（ａ）に示す例では、ホルダ１３０におけるカバー部３１の下面側に、横方向に伸張する１対のゴムチューブ６６が取り付けられ、その１対のゴムチューブ６６の下に押さえ板６２が取り付けられている。
ホルダ１３０で発光モジュール１０をベース２０に固定する工程は、実施の形態４で説明したのと同様である。
【００７９】
図１１（ｂ），（ｃ）はホルダ１３０の中央部を横方向に切断した断面図であって、図１１（ｂ）は、押さえ板６２が発光モジュール１０から離間していて、押圧力がかかっていないときのゴムチューブ６６及びや押さえ板６２の状態を示している。このときゴムチューブ６６は圧縮されず、伸びた状態であって、押さえ板６２もホルダ１３０の下面付近に位置している。
【００８０】
図１１（ｂ）は、押さえ板６２が図中矢印のように発光モジュール１０を押圧しているときのゴムチューブ６６及びや押さえ板６２の状態を示している。このときゴムチューブ６６は上下方向に圧縮され、押さえ板６２はホルダ１３０の下面側の凹部３１０内に押し込まれている。
接続端子５１，５２の接触部５１１，５２１は、図１１（ｂ）の状態では、基板１１上の端子部１３ａ，１３ｂと非接触であり、図１１（ｃ）の状態では、基板１１上の端子部１３ａ，１３ｂと接触する。
【００８１】
このように弾性体としてゴムチューブ６６を用いた場合も、コイルバネ６１を用いた場合と同様に押さえ板６２が動作するので、実施の形態４で説明した照明装置６０の効果と同様の効果を得ることができる。
ただし、コイルバネ６１とゴムチューブ６６とを比べると、コイルバネ６１の方が、耐久性が良好で伸縮するストロークも長い。一方、ゴムチューブ６６を用いる方が、ホルダ１３０のカバー部３１の下に押さえ板６２を安定して装着することができる。またゴムチューブ６６及び押さえ板６２の装着も容易であり、ホルダ１３０の内部の構成も比較的簡素となる。
【００８２】
図１２は、弾性体として板バネを用いている例を示し、（ａ）はホルダ１３０を下方からみた分解斜視図、（ｂ）は、ホルダ１３０の一部を縦方向および横方向に切断した斜視図である。
図１２に示す例では、ホルダ１３０におけるカバー部３１の下面側に、４個の板ばね６７が取り付けられ、それらの下に押さえ板６２が取り付けられている。
【００８３】
各板ばね６７は、弾性板がＳ字状に曲折されて形成され、ホルダ１３０のカバー部３１に固定される支持部６７１と、圧力が加えられると上下方向に弾性変形する伸縮部６７２とを有している。
支持部６７１はカバー部３１の下面に設けられた凹部６８に填まり込んで固定されている。伸縮部６７２の下端は、押さえ板６２の上面に形成された凹部６９に填まり込んでこれに接合されている。
【００８４】
このホルダ１３０においても、発光モジュール１０をベース２０に固定する工程は、実施の形態４で説明したのと同様である。
図１２（ｃ），（ｄ）はホルダ１３０の中央部を横方向に切断した断面図であって、図１２（ｃ）は、押さえ板６２が発光モジュール１０から離間していて、押圧力がかかっていないときの板ばね６７及びや押さえ板６２の状態を示している。このとき板ばね６７は圧縮されず、伸びた状態であって、押さえ板６２もホルダ１３０の下面付近に位置している。
【００８５】
図１２（ｄ）は、押さえ板６２が図中矢印のように発光モジュール１０を押圧しているときの板ばね６７及び押さえ板６２の状態を示している。このとき板ばね６７は上下方向に圧縮され、押さえ板６２はホルダ１３０の下面側の凹部３１０内に押し込まれている。
接続端子５１，５２の接触部５１１，５２１は、図１２（ｃ）の状態では、基板１１上の端子部１３ａ，１３ｂと非接触であり、図１１（ｄ）の状態では、基板１１上の端子部１３ａ，１３ｂと接触する。
【００８６】
このように弾性体として板ばね６７を用いた場合も、コイルバネ６１を用いた場合と同様に押さえ板６２が動作するので、実施の形態４で説明した照明装置６０の効果と同様の効果を得ることができる。
ただし、コイルバネ６１と板ばね６７とを比べると、コイルバネ６１の方が、ストロークが長いが、コイルバネ６１の方が、カバー部３１の下に装着しやすい。
【００８７】
[変形例など] 
１．図１３（ａ），（ｂ）は、実施の形態１にかかる照明装置の変形例を示す図である。
実施の形態１では、ホルダ３０の前端部に取付爪３５が１つ、ベース２０に係止孔２２が１つずつ設けられていたが、この変形性では、ホルダ３０の前端部に取付爪３５ａ，３５ｂが、ベース２０に係止孔２２ａ，２２ｂが、左右に分かれて設けられている。
【００８８】
このようにホルダに設ける取付爪の数、及びベースに設ける係止部の数は、複数であってもよい。
２．実施の形態１、３〜５において、取付爪３５の先端部３５３は、前方（すなわちホルダの外方）に向かって突出していたが、取付爪の先端部が後方（ホルダの内方）に向かって突出している場合も、ベース２０の係止部に係止させて、同様に実施することができる。すなわち、取付爪がコの字形状をしている場合も同様に実施することができる。
【００８９】
ただし、取付爪の先端部がホルダの内方を向いているよりも、ホルダの外方に向いている方が、取付爪を係止部に係止させるのが容易である。また、ホルダの後端部をベースに締め付けるのに伴って、前端部の取付爪をベースに締め付けやすい。
３．上記実施の形態１〜５では、ホルダの形状が長方形板状であったが、ホルダの形状は特に限定されない。
【００９０】
図１３（ｃ）には、実施の形態１のホルダ３０の変形例として円形板状のホルダ２３０を示している。このホルダ２３０においては、前端部に取付爪３５が設けられ、右後方の端部にネジ取付け部３６ａが、左後方の端部にネジ取付け部３６ｂが突出して設けられている。図１３（ｄ）はこのホルダ２３０に対応するベース２２０を示す。このベース２２０においては、取付爪３５を係止する係止孔２２、及びネジ取付け部３６ａ，３６ｂに対応するねじ孔２３ａ，２３ｂが形成されている。
【００９１】
このようなホルダ２３０，ベース２２０を用いた照明装置も実施可能であり、同様の効果を得ることができる。
４．発光モジュールの形状に関しても、基板１１の形状は長方形状に限らず、例えば円形状あるいは５角以上の多角形状であってもよい。また、発光部１２、開口部３３の形状も四角形に限らず、例えば円形状、あるいは５角以上の多角形状であってもよい。
５．上記実施の形態にかかるホルダ３０、１３０は、周壁部３２がカバー部３１よりも下方に突出していたが、カバー部３１と周壁部３２の下面は面一でもよい。
【００９２】
この場合、ホルダの下面側に、発光モジュール１０が填まり込む凹部３１０は形成されないが、同様に、ベース２０の搭載領域２１に載置した発光モジュール１０をホルダで固定することができる。
６．上記実施の形態では、ダウンライト用の照明装置を例にとって説明したが、電球型の照明装置などにおいても同様に実施できる。
【符号の説明】
【００９３】
１    ダウンライト
６〜８    照明装置
１０    発光モジュール
１１    基板
１２    発光部
１３ａ，１３ｂ  端子部
１４    発光素子
２０    ベース
２１    搭載領域
２２    係止孔
２２ａ，２２ｂ  係止孔
２３    ねじ孔
２３ａ，２３ｂ  ねじ孔
２４，２５  係止孔
３０    ホルダ
３１    カバー部
３２    周壁部
３２ａ  前端部分
３２ｂ  後端部分
３３    開口部
４３，４４  フック
５１，５２  接続端子
６０    照明装置
６１    コイルバネ
６２    押さえ板
６６    ゴムチューブ
１２２    係止部
１２３    内部空間
１３０    ホルダ
１３５    取付爪
３５１    基端部
３５２    下方伸長部
３５３    先端部
【図１】
2014120332.tif 000003
【図２】
2014120332.tif 000004
【図３】
2014120332.tif 000005
【図４】
2014120332.tif 000006
【図５】
2014120332.tif 000007
【図６】
2014120332.tif 000008
【図７】
2014120332.tif 000009
【図８】
2014120332.tif 000010
【図９】
2014120332.tif 000011
【図１０】
2014120332.tif 000012
【図１１】
2014120332.tif 000013
【図１２】
2014120332.tif 000014
【図１３】
2014120332.tif 000015